(57)【要約】【課題】電子機器の回路基板固定構造において、ビスや専用の固定部品を使わずに、エンコーダホルダを利用して、回路基板をバッテリの抜き差し時に撓まないように固定する。【解決手段】回路基板２は、細長い形状に延出する基板延出部２１を有し、基板延出部２１にターミナルプレート６が取付けられている。エンコーダホルダ３は、エンコーダホルダ３をシャーシ４に取付けるための基体部３１と、エンコーダ位置決め部３２と、エンコーダ固定部３３に加え、回路基板２の基板延出部２１が撓まないように固定するリブ３４ａ、３４ｂ及びフック３５を有する。基板延出部２１は、バッテリ５をターミナルプレート６に差すときには、エンコーダホルダ３のリブ３４ａ、３４ｂに押し止められて撓みが防止され、バッテリ５をターミナルプレート６から抜くときには、エンコーダホルダ３のフック３５に係止されて撓みが防止される。【選択図】図３
2007128945.tif 000002
【特許請求の範囲】
【請求項１】
電子機器のシャーシに取付けられる回路基板と、エンコーダを保持するための前記シャーシに取付けられるエンコーダホルダと、電子機器に電力を供給するためのバッテリが抜き差しされるターミナルプレートとを備える電子機器の回路基板固定構造において、
前記回路基板は、細長い形状に延出する基板延出部を有し、
前記ターミナルプレートは、前記基板延出部に取付けられ、
前記エンコーダホルダは、該エンコーダホルダをビスによりシャーシに取付けるためのビス孔が形成された基体部と、該エンコーダホルダに保持されるエンコーダを位置決めするためのエンコーダ位置決め部と、該エンコーダホルダに保持されるエンコーダをビスにより固定するためのビス孔が形成されたエンコーダ固定部と、前記ターミナルプレートにバッテリを抜き差しするときに前記回路基板の基板延出部が撓まないように該基板延出部を固定する基板固定部とを有し、これら基体部、エンコーダ位置決め部、エンコーダ固定部、及び基板固定部が樹脂により一体的に形成され、
前記基板固定部は、
前記基板延出部の前記ターミナルプレートの取付けられる側と反対側に位置して前記基板延出部の前記ターミナルプレートと反対側への変位を規制する、前記基体部上に突設された略同じ高さの２つのリブと、
前記基板延出部の前記ターミナルプレートの取付けられる側に位置して前記基板延出部の前記ターミナルプレート側への変位を規制する、前記リブの上端から前記リブの突出する方向に前記基板延出部の厚みと略同じ間隔をおいて設けられたフックと、を具備することを特徴とするエンコーダホルダを利用した電子機器の回路基板固定構造。
【請求項２】
電子機器のシャーシに取付けられる回路基板と、エンコーダを保持するための前記シャーシに取付けられるエンコーダホルダと、電子機器に電力を供給するためのバッテリが抜き差しされるターミナルプレートとを備える電子機器の回路基板固定構造において、
前記ターミナルプレートは、前記回路基板に取付けられ、
前記エンコーダホルダは、前記ターミナルプレートにバッテリを抜き差しするときに前記回路基板が撓まないように前記回路基板を固定する基板固定部を有することを特徴とするエンコーダホルダを利用した電子機器の回路基板固定構造。
【請求項３】
前記基板固定部は、
前記回路基板の前記ターミナルプレートの取付けられる側と反対側に位置して前記回路基板の前記ターミナルプレートと反対側への変位を規制するリブと、
前記回路基板の前記ターミナルプレートの取付けられる側に位置して前記回路基板の前記ターミナルプレート側への変位を規制するフックと、を具備することを特徴とする請求項２に記載のエンコーダホルダを利用した電子機器の回路基板固定構造。
【発明の詳細な説明】
【技術分野】
【０００１】
本発明は、例えばインクジェットプリンタにおける記録ヘッドやスキャナにおける画像読取センサ等の移動体の位置を検出するためのエンコーダを備える電子機器に搭載される回路基板を固定する構造に係り、エンコーダを保持するためのエンコーダホルダを利用して回路基板を固定するようにしたエンコーダホルダを利用した電子機器の回路基板固定構造に関するものである。
【背景技術】
【０００２】
従来から、インクジェットプリンタは、記録ヘッドの位置を検出するためのエンコーダを有しており、スキャナは、画像読取センサの位置を検出するためのエンコーダを備えている。このような電子機器は、エンコーダに加え、回路基板、及び電子機器に電力を供給するためのバッテリが抜き差しされるターミナルプレートを備えており、エンコーダ及び回路基板は、電子機器の筐体内に設けられるシャーシにビス止めされており、ターミナルプレートは、筐体内において筐体の一部に固定されている。
【０００３】
また、回路基板を保持するための専用のホルダを用いてメイン基板とプログレッシブ基板の２つの回路基板をシャーシ上に重ねて保持するようにした回路基板の支持構造が知られている（例えば特許文献１参照）。特許文献１に記載の回路基板の支持構造では、プログレッシブ基板は、ホルダの本体部上に戴置され、プログレッシブ基板の端部がホルダに設けられたフックにより係止されている。
【特許文献１】実用新案登録第３０９００８５号公報
【発明の開示】
【発明が解決しようとする課題】
【０００４】
ところで、電子機器の小型化のために、ターミナルプレートを回路基板上に取付けることが考えられる。ところが、ターミナルプレートを回路基板上に取付ける構成では、ターミナルプレートにバッテリを抜き差しするときに回路基板に力が加わって回路基板に撓みが発生し、回路基板の破損に繋がる虞がある。特に、回路基板に細長く延出する基板延出部を設けて基板延出部上にターミナルプレートを取付ける構成では、回路基板の撓みが顕著となり、回路基板の破損に繋がる可能性が高くなる。
【０００５】
そこで、バッテリを抜き差しするときに回路基板が撓まないようにするために、回路基板のターミナルプレートが取付けられる近辺箇所を、ビスにより固定したり、又は、別途作製した専用の固定部品により固定することが考えられる。
【０００６】
しかしながら、このような回路基板の固定構造では、部品点数が多くなり、回路基板の取付作業が煩雑になる。なお、上述した特許文献１に記載の回路基板の支持構造は、回路基板を保持するための専用のホルダ（専用の固定部品）を用いており、従って、特許文献１に開示の内容を適用したとしても、上記の課題を解決することはできない。
【０００７】
本発明は、上記課題を解決するためになされたものであり、ビスや専用の固定部品を使わずに、エンコーダホルダを利用して、回路基板をバッテリの抜き差し時に撓まないように固定することができるエンコーダホルダを利用した電子機器の回路基板固定構造を提供することを目的とする。
【課題を解決するための手段】
【０００８】
上記目的を達成するために請求項１の発明は、電子機器のシャーシに取付けられる回路基板と、エンコーダを保持するためのシャーシに取付けられるエンコーダホルダと、電子機器に電力を供給するためのバッテリが抜き差しされるターミナルプレートとを備える電子機器の回路基板固定構造において、回路基板は、細長い形状に延出する基板延出部を有し、ターミナルプレートは、基板延出部に取付けられ、エンコーダホルダは、該エンコーダホルダをビスによりシャーシに取付けるためのビス孔が形成された基体部と、該エンコーダホルダに保持されるエンコーダを位置決めするためのエンコーダ位置決め部と、該エンコーダホルダに保持されるエンコーダをビスにより固定するためのビス孔が形成されたエンコーダ固定部と、ターミナルプレートにバッテリを抜き差しするときに回路基板の基板延出部が撓まないように該基板延出部を固定する基板固定部とを有し、これら基体部、エンコーダ位置決め部、エンコーダ固定部、及び基板固定部が樹脂により一体的に形成され、基板固定部は、基板延出部のターミナルプレートの取付けられる側と反対側に位置して基板延出部のターミナルプレートと反対側への変位を規制する、基体部上に突設された略同じ高さの２つのリブと、基板延出部のターミナルプレートの取付けられる側に位置して基板延出部のターミナルプレート側への変位を規制する、リブの上端からリブの突出する方向に基板延出部の厚みと略同じ間隔をおいて設けられたフックと、を具備するものである。
【０００９】
請求項２の発明は、電子機器のシャーシに取付けられる回路基板と、エンコーダを保持するためのシャーシに取付けられるエンコーダホルダと、電子機器に電力を供給するためのバッテリが抜き差しされるターミナルプレートとを備える電子機器の回路基板固定構造において、ターミナルプレートは、回路基板に取付けられ、エンコーダホルダは、ターミナルプレートにバッテリを抜き差しするときに回路基板が撓まないように回路基板を固定する基板固定部を有するものである。
【００１０】
請求項３の発明は、請求項２に記載の電子機器の回路基板固定構造において、基板固定部は、回路基板のターミナルプレートの取付けられる側と反対側に位置して回路基板のターミナルプレートと反対側への変位を規制するリブと、回路基板のターミナルプレートの取付けられる側に位置して回路基板のターミナルプレート側への変位を規制するフックと、を具備するものである。
【発明の効果】
【００１１】
請求項１の発明によれば、回路基板の基板延出部（すなわちターミナルプレートが取付けられる箇所）は、エンコーダホルダによって、ターミナルプレートにバッテリを抜き差しするときに撓まないように固定される。従って、ビスや専用の固定部品を使わずに、バッテリを抜き差しするときの基板延出部の撓みを防止することができ、これにより、回路基板を取付けるための部品点数が少なくて済み、回路基板の取付け作業が容易となる。しかも、回路基板の基板延出部は、バッテリを差すときにはエンコーダホルダのリブに押し止められて撓みが防止され、バッテリを抜くときにはエンコーダホルダのフックに係止されて撓みが防止される。従って、バッテリを抜き差しするときの基板延出部の撓みの防止を簡素な構造で実現でき、回路基板の取付け作業が容易となる。
【００１２】
請求項２の発明によれば、回路基板は、エンコーダホルダによって、ターミナルプレートにバッテリを抜き差しするときに撓まないように固定される。従って、ビスや専用の固定部品を使わずに、バッテリを抜き差しするときの回路基板の撓みを防止することができ、これにより、回路基板を取付けるための部品点数が少なくて済み、回路基板の取付け作業が容易となる。
【００１３】
請求項３の発明によれば、回路基板は、バッテリを差すときには、エンコーダホルダのリブに押し止められて撓みが防止され、バッテリを抜くときには、エンコーダホルダのフックに係止されて撓みが防止される。従って、バッテリを抜き差しするときの回路基板の撓みの防止を簡素な構造で実現でき、回路基板の取付け作業が容易となる。
【発明を実施するための最良の形態】
【００１４】
以下、本発明を具体化した実施形態による電子機器の回路基板固定構造について図面を参照して説明する。図１は、例えばインクジェットプリンタやスキャナ等の電子機器の概略構成を示す。電子機器１は、筐体（不図示）内に、回路基板２と、エンコーダ（不図示）を保持するためのエンコーダホルダ３と、回路基板２及びエンコーダホルダ３を支持するシャーシ４と、電子機器１に電力を供給するためのバッテリ５が抜き差しされるターミナルプレート６等を備える。回路基板２は、細長く伸びる形状に延出する基板延出部２１を有している。基板延出部２１は、ターミナルプレート６を取付けるために設けられている。ターミナルプレート６は、回路基板２の基板延出部２１の表面に取付けられており、基板延出部２１の表面に略垂直な方向（図示Ｚ方向）に伸びている。このターミナルプレート６は、回路基板２に形成されている電気回路（不図示）に電気的に接続されている。バッテリ５は、ガイド（不図示）に沿って、ターミナルプレート６の伸びている方向と平行な方向にターミナルプレート６に抜き差しされるようになっており、バッテリ５をターミナルプレート６に差し込むことにより、バッテリ５の電力供給端子５１とターミナルプレート６が電気的に接続され、バッテリ５をターミナルプレート６から抜き取ることにより、バッテリ５の電力供給端子５１とターミナルプレート６との電気的接続が断たれる。
【００１５】
回路基板２及びエンコーダホルダ３は、シャーシ４に取付けられており、回路基板２の基板延出部２１（すなわちターミナルプレート６が取付けられている箇所）は、エンコーダホルダ３を利用して、バッテリ５をターミナルプレート６に抜き差しするときに加えられる力によって撓まないように固定されている。
【００１６】
図２（ａ）（ｂ）は、エンコーダホルダ３の構成を示す。エンコーダホルダ３は、樹脂製であり、エンコーダホルダ３をシャーシ４に取付けるための基体部３１と、エンコーダ（不図示）を位置決めするためのエンコーダ位置決め部３２と、エンコーダを固定するためのエンコーダ固定部３３と、回路基板２の基板延出部２１を固定するための基板固定部である２つのリブ３４ａ、３４ｂ及びフック３５とを有している。
【００１７】
基体部３１には、エンコーダホルダ取付け用のビス孔３１ａが形成されている。エンコーダホルダ３に保持されるエンコーダには、位置決め用穴とビス止め用孔が所定の間隔で設けられており、エンコーダ位置決め部３２には、エンコーダの位置決め用穴が係合される突起３２ａが形成され、エンコーダ固定部３３には、エンコーダのビス止め用孔が合致されるビス孔３３ａが形成されている。これら突起３２ａとビス孔３３ａは、エンコーダの位置決め用穴が突起３２ａに係合した状態でエンコーダのビス止め用孔がビス孔３３ａに合致するように形成されている。エンコーダホルダ３へのエンコーダの取付けは、エンコーダの位置決め用穴を突起３２ａに係合させ、ビスをエンコーダのビス止め用孔に挿通してビス孔３３ａに締め付けることにより行われる。
【００１８】
リブ３４ａとリブ３４ｂは、基体部３１上に、基体部３１の表面に垂直な方向（図示Ｚ方向）に略同じ高さに突設されている。これらのリブ３４ａ、３４ｂは、基体部３１の表面に平行な一方向（図示Ｘ方向）に並んで設けられており、基体部３１の表面に平行でリブ３４ａ、３４ｂの並び方向に直交する方向（図示Ｙ方向）に伸びている。フック３５は、リブ３４ａ、３４ｂの上端からリブ３４ａ、３４ｂの突出方向に、上記基板延出部２１の厚みと略同じ間隔を空けて設けられている。つまり、リブ３４ａ、３４ｂの上端とフック３５の下端との間隔は、上記基板延出部２１の厚みと略同じになっている。また、フック３５は、リブ３４ａ、リブ３４ｂの伸びている方向と平行な方向に弾性変位可能になっている。これら基体部３１、エンコーダ位置決め部３２、エンコーダ固定部３３、リブ３４ａ、３４ｂ、及びフック３５は、樹脂により一体的に形成されている。
【００１９】
図３（ａ）（ｂ）は、エンコーダホルダ３による回路基板２の固定構造を示す。回路基板２は、シャーシ４にビス７１でビス止めされて取付けられており、エンコーダホルダ３は、シャーシ４にビス７２でビス止めされて取付けられている。回路基板２の基板延出部２１は、エンコーダホルダ３のリブ３４ａ、３４ｂとフック３５の間にあり、基板延出部２１の表面に取付けられているターミナルプレート６は、エンコーダホルダ３のリブ３４ａ、３４ｂ上に位置している。
【００２０】
エンコーダホルダ３のリブ３４ａ、３４ｂは、回路基板２の基板延出部２１の裏面（ターミナルプレート６が取付けられている面の反対面）側に位置しており、リブ３４ａ、３４ｂの上端縁が基板延出部２１の裏面と略同一面にあり、基板延出部２１が裏面側（図示Ｚ方向と反対方向）へ変位することを規制している。エンコーダホルダ３のフック３５は、基板延出部２１の表面（ターミナルプレート６が取付けられている面）側に位置しており、フック３５の下端縁が基板延出部２１の表面と略同一面にあり、基板延出部２１が表面側（図示Ｚ方向）へ変位することを規制している。
【００２１】
バッテリ５は、上述のように、ガイド（不図示）に沿ってターミナルプレート６の伸びている方向（図示Ｚ方向）と平行な方向にターミナルプレート６に抜き差しされる。従って、基板延出部２１は、バッテリ５をターミナルプレート６に差し込んでバッテリ５の電力供給端子５１とターミナルプレート６とを接続するときには、エンコーダホルダ３のリブ３４ａ、３４ｂに押し止められて撓みが防止され、バッテリ５をターミナルプレート６から抜き取って電力供給端子５１とターミナルプレート６との接続を断つきには、エンコーダホルダ３のフック３５に係止されて撓みが防止される。
【００２２】
回路基板２の取付けは、エンコーダホルダ３をシャーシ４に取付けた後に行われ、基板延出部２１に取付けられているターミナルプレート６がエンコーダホルダ３のリブ３４ａ、３４ｂ上に位置するように、基板延出部２１をエンコーダホルダ３のリブ３４ａ、３４ｂとフック３５との間に差し込み、その状態で従来と同様に回路基板２をシャーシ４にビス７１でビス止めすることにより行われる。
【００２３】
このように、上記回路基板２の固定構造によれば、回路基板２の基板延出部２１（すなわちターミナルプレート６が取付けられる箇所）は、エンコーダホルダ３によって、バッテリ５をターミナルプレート６に抜き差しするときに撓まないように固定される。従って、ビスや専用の固定部品を使わずに、バッテリ５を抜き差しするときの基板延出部２１の撓みを防止することができ、これにより、回路基板２を取付けるための部品点数が少なくて済み、回路基板２の取付け作業が容易となる。
【００２４】
しかも、回路基板２の基板延出部２１は、バッテリ５をターミナルプレート６に差すときにはエンコーダホルダ３のリブ３４ａ、３４ｂに押し止められて撓みが防止され、バッテリ５をターミナルプレート６から抜くときにはエンコーダホルダ３のフック３５に係止されて撓みが防止される。従って、バッテリ５を抜き差しするときの基板延出部２１の撓みの防止を簡素な構造で実現でき、回路基板２の取付け作業が容易となる。
【００２５】
なお、本発明は、上記実施形態の構成に限られず、種々の変形が可能である。例えば、上記実施形態において、エンコーダホルダのリブは、２つに限られず、１つでもよく、３つ以上でもよい。エンコーダホルダのフックは、１つに限られず、２つ以上でもよい。エンコーダホルダは、リブやフックに限られず、その他の構造体により回路基板を固定するものであってもよい。
【００２６】
また、本発明は、回路基板の基板延出部にターミナルプレートを取付けた構成に限られず、例えば矩形状の回路基板にターミナルプレートを取付けた構成にも適用可能である。このような構成の場合、回路基板のターミナルプレートが取付けられている近辺をエンコーダホルダを利用して固定すればよい。また、本発明は、インクジェットプリンタやスキャナに限られず、エンコーダホルダを備える電子機器であれば、どのような電子機器にも適用可能である。
【図面の簡単な説明】
【００２７】
【図１】本発明の一実施形態に係る回路基板固定構造を備える電子機器の概略構成を示す斜視図。
【図２】（ａ）は同電子機器のエンコーダホルダの斜視図、（ｂ）は同エンコーダホルダの別の角度から見た斜視図。
【図３】（ａ）は同電子機器の回路基板固定構造を示す図１のＸ方向に見た側面図、（ｂ）は同回路基板固定構造を示す図１のＹ方向に見た側面図。
【符号の説明】
【００２８】
１    電子機器
２    回路基板
３    エンコーダホルダ
４    シャーシ
５    バッテリ
６    ターミナルプレート
２１    基板延出部
３１    基体部
３２    エンコーダ位置決め部
３３    エンコーダ固定部
３４ａ、３４ｂ    リブ
３５    フック
【図１】
2007128945.tif 000003
【図２】
2007128945.tif 000004
【図３】
2007128945.tif 000005